(57)【要約】【課題】ロール紙の取り出しを簡単に行うことのできるロール紙プリンタを提案すること。【解決手段】ロール紙プリンタ１は、本体ユニット２の前面に前方に開閉可能に開閉蓋ユニット３が取り付けられている。開閉蓋ユニット３を開けるとプリンタ本体内部のロール紙収納部９の前側が開放状態になり、ロール紙１０の交換ができる。開閉蓋ユニット３を開けると、リンクレバー７１、７２と引張りコイルばね６６、６７からなるロール紙送り出し機構によって、ロール紙収納部９の底板１２がほぼ水平な姿勢から前傾姿勢１２Ｂに切り換わり、そこに載っているロール紙１０Ａが自重により転がり、前方に送り出される。残り少ない小径のロール紙１０Ｂをロール紙収納部９の後側の奥から取り出す場合に比べて、簡単に当該ロール紙１０Ｂを取り出すことができる。開閉蓋ユニット３を閉じると、ロール紙収納部９の底板１２は再び元のほぼ水平な姿勢に戻る。【選択図】図６
2011230514.tif 000002
【特許請求の範囲】
【請求項１】
プリンタ本体と、
前記プリンタ本体に形成されているロール紙収納部と、
前記プリンタ本体に開閉可能に取り付けられ、前記ロール紙収納部を封鎖している開閉
蓋ユニットと、
前記開閉蓋ユニットの開き動作に連動して、当該開閉蓋ユニットに向けて前記ロール紙
収納部に収納されているロール紙を送り出すロール紙送り出し機構とを有していることを
特徴とするロール紙プリンタ。
【請求項２】
請求項１において、
前記ロール紙送り出し機構は、前記ロール紙収納部におけるロール紙が転動可能な状態
で載っている底板を前記開閉蓋ユニットの開き動作に連動して、スライドあるいは傾斜さ
せる機構であることを特徴とするロール紙プリンタ。
【請求項３】
請求項２において、
前記開閉蓋ユニットは、そのプリンタ下端側の部位を中心として前方に開くように、前
記プリンタ本体の前面に取り付けられており、
前記ロール紙収納部の前記底板は、そのプリンタ前端側の部位を中心としてプリンタ上
下方向に旋回可能であり、
前記ロール紙送り出し機構は、前記開閉蓋ユニットの開閉動作を前記底板の旋回運動に
変換するリンクレバーを備えており、
前記開閉蓋ユニットを開くと、前記底板はプリンタ前方側の部位が下となる前傾姿勢と
なり、前記開閉蓋ユニットを閉じると、前記底板は元の姿勢に戻ることを特徴とするロー
ル紙プリンタ。
【請求項４】
請求項３において、
前記底板を元の姿勢に戻す方向の付勢力を当該底板に付与している付勢部材を有してい
ることを特徴とするロール紙プリンタ。
【発明の詳細な説明】
【技術分野】
【０００１】
本発明は、ロール紙が取り出し易いように改良が施されたロール紙収納部を備えたロー
ル紙プリンタに関するものである。
【背景技術】
【０００２】
芯管にテープ状の記録紙がロール状に巻き付けられた構成のロール紙に印刷を行うロー
ル紙プリンタとして特許文献１に開示のものが知られている。この文献に開示されている
プリンタでは、プリンタ本体の上面に開閉自在に蓋体が取り付けられており、また、プリ
ンタ本体側にプラテンローラが取り付けられ、蓋体の側にプリントヘッドが取り付けられ
ている。蓋体を開けると、用紙収容部の上側が開放状態になり、上側からロール紙の交換
作業を簡単に行うことができる。また、プリントヘッドとプラテンローラが離れるので、
これらの間に用紙をセットする作業も簡単に行うことができる。
【先行技術文献】
【特許文献】
【０００３】
【特許文献１】特開２０００−２８９２７２号公報
【発明の概要】
【発明が解決しようとする課題】
【０００４】
このようなロール紙プリンタにおいて、ロール紙の交換が必要になった状態では、ロー
ル紙収納部の底に、殆ど芯管のみとなったロール紙が奥側に残った状態になる。ロール紙
収納部を封鎖している開閉蓋ユニットを広く開けることができれば、操作者は手をロール
紙収納部に入れて取り出すことが容易である。しかし、開閉蓋ユニットを広く開けること
ができない場合には、底に残っている小径のロール紙を取り出すことが簡単にできない。
例えば、設置場所の高さ寸法を十分に確保できない場合には、開閉蓋ユニットを広く開け
ることができず、ロール紙収納部の底に残っているロール紙を取り出すことが簡単にでき
ない。
【０００５】
ここで、ロール紙プリンタの高さ寸法を低減するために、プリンタ本体の前面に開閉蓋
ユニットを取り付け、これを前方に開けてロール紙の交換を前方から行うことが考えられ
る。この場合には、前方から手を入れてロール紙収納部の底に残っているロール紙が取り
出される。このようなプリンタでは、高さ寸法を低減するために、ロール紙収納部の開口
高も必然的に小さくなる。よって、狭い開口部を通して残り少なくなった小径のロール紙
を取り出す必要がある。
【０００６】
本発明の課題は、このような点に鑑みて、ロール紙交換作業を簡単に行うことのできる
ロール紙プリンタを提案することにある。
【課題を解決するための手段】
【０００７】
上記の課題を解決するために、本発明のロール紙プリンタは、プリンタ本体と、このプ
リンタ本体に形成されているロール紙収納部と、前記プリンタ本体に開閉可能に取り付け
られ、前記ロール紙収納部を封鎖している開閉蓋ユニットと、この開閉蓋ユニットの開き
動作に連動して、当該開閉蓋ユニットに向けて前記ロール紙収納部に収納されているロー
ル紙を送り出すロール紙送り出し機構とを有していることを特徴としている。
【０００８】
ここで、前記ロール紙送り出し機構は、前記ロール紙収納部におけるロール紙が転動可
能な状態で載っている底板を前記開閉蓋ユニットの開き動作に連動して、スライドあるい
は傾斜させる機構であることを特徴としている。
【０００９】
本発明のロール紙プリンタでは、開閉蓋ユニットを開けると、ロール紙送り出し機構に
よって、ロール紙収納部からロール紙が送り出される。例えば、ロール紙収納部における
ロール紙が載っている底板がスライドあるいは傾斜し、ロール紙が開閉蓋ユニットの側に
送り出される。開けた開閉蓋ユニットの近くまでロール紙が送り出されるので、ロール紙
収納部の奥まで手を入れて殆ど芯管のみとなった小径のロール紙を取り出す必要がない。
よって、ロール紙の取り出しが極めて容易になる。
【００１０】
本発明は、プリンタ前面からロール紙の交換を行うように構成されたロール紙プリンタ
に適用することができる。すなわち、前記開閉蓋ユニットが、そのプリンタ下端側の部位
を中心として前方に開くように、前記プリンタ本体の前面に取り付けられており、前記ロ
ール紙収納部の前記底板が、そのプリンタ前端側の部位を中心としてプリンタ上下方向に
旋回可能となっている。この場合には、前記ロール紙送り出し機構は、前記開閉蓋ユニッ
トの開閉動作に連動して前記底板の旋回運動に変換するリンクレバーを備えており、前記
開閉蓋ユニットを開くと、前記底板はプリンタ前方側の部位が下となるように傾斜する前
傾姿勢となり、前記開閉蓋ユニットを閉じると、前記底板は元の姿勢に戻ることを特徴と
している。
【００１１】
開閉蓋ユニットを開くと、ロール紙収納部の底板が前傾姿勢となり、そこに載っている
ロール紙が自重によって前方に転動して送り出される。したがって、操作者は、手をロー
ル紙収納部の奥に入れることなく、簡単に、実質的に芯管のみとなった小径のロール紙を
取り出すことができる。
【００１２】
ここで、本発明では、前記底板を元の姿勢に戻す方向の付勢力を当該底板に付与してい
る付勢部材を有していることを特徴としている。付勢力によって底板はがたつきなく保持
される。また、開閉蓋ユニットを開ける場合には、当該付勢力が開閉蓋ユニットに対して
、それを閉じる方向の力として作用する。したがって、開閉蓋ユニットが勢いよく開き、
プリンタ設置面などに衝突するという弊害を防止できる。
【発明の効果】
【００１３】
以上説明したように、本発明のロール紙プリンタでは、ロール紙収納部を開閉する開閉
蓋ユニットを開ける動作に連動して、ロール紙収納部に収納されているロール紙を開閉蓋
ユニットの側に送り出すようにしている。例えば、ロール紙収納部の底板をスライドある
いは傾斜させて、そこに載っているロール紙を送り出すようにしている。したがって、ロ
ール紙収納部の奥側の底に残っている小径のロール紙を簡単に取り出すことができる。
【図面の簡単な説明】
【００１４】
【図１】本発明を適用したロール紙プリンタの外観斜視図である。
【図２】ロール紙プリンタの開閉蓋を開けた状態での外観斜視図である。
【図３】ロール紙プリンタの内部構造を示す概略構成図である。
【図４】ロール紙プリンタの本体ケースおよび開閉蓋を取り外した状態のロール紙プリンタの側面図である。
【図５】内部構造を示すために図４における一方の側板を省略した状態のロール紙プリンタの斜視図および側面図である。
【図６】開閉蓋ユニットを開けた状態の斜視図および側面図である。
【発明を実施するための形態】
【００１５】
以下に、図面を参照して、本発明を適用したロール紙プリンタの実施の形態を説明する
。
【００１６】
（全体構成）
図１は本発明を適用したロール紙プリンタの外観斜視図であり、図２はその開閉蓋ユニ
ットを開けた状態を示す外観斜視図である。
【００１７】
本実施の形態に係るロール紙プリンタ１は、プリンタ本体２と、その前面に取り付けた
開閉蓋ユニット３を有しており、プリンタ本体２の前面の端には操作パネルユニット４が
取り付けられている。プリンタ前面における開閉蓋ユニット３の上端部分には、プリンタ
幅方向に延びる記録紙排出口５が形成されている。
【００１８】
プリンタ本体２は、前面および底面が開口した前後に長いボックス形状の本体ケース６
によって覆われている。開閉蓋ユニット３の前面には、プリンタ前面を規定している開閉
蓋ケース７が取り付けられている。開閉蓋ユニット３は、操作パネルユニット４に配置さ
れている操作レバー８を操作すると、不図示の蓋ロックが解除されて下端部を中心として
前方に開くようになっている。開閉蓋ユニット３が開くと、内部に形成されているロール
紙収納部９の前面側が開放状態となり、ロール紙１０の交換作業などを行うことができる
。操作パネルユニット４の前面には、ＬＥＤなどからなる状態表示ランプ群４ａ、フィー
ドボタン４ｂ、電源スイッチ４ｃが配置されている。
【００１９】
図３はロール紙プリンタ１の内部を示す概略構成図である。ロール紙プリンタ１の内部
に形成されているロール紙収納部９は、プリンタ幅方向に延びる円弧状の底板１２、同じ
くプリンタ幅方向に延びる円弧状の天板１３、および、同じくプリンタ幅方向に延びる前
板１４によって囲まれている。このロール紙収納部９には、転動自在の状態でロール紙１
０が収納されている。ここから繰り出されるテープ状の記録紙１０ａは、プラテンローラ
１５と、サーマルヘッド１６の間の印刷位置を通過して前方に引き出されて、その前方に
位置している記録紙排出口５から前方に排出される。記録紙排出口５の手前には鋏式の記
録紙切断装置２０が配置されている。
【００２０】
記録紙切断装置２０は、プリンタ本体２の側に搭載されている固定刃２１と、開閉蓋ユ
ニット３の側に搭載されている可動刃２２および可動刃駆動機構２３とを有している。固
定刃２１は刃先２１ａが前方を向く略水平な姿勢で、プリンタ幅方向に配列されている。
可動刃２２は、固定刃２１の刃先２１ａのほぼ真下の位置において、刃先２２ａが上を向
く略垂直な姿勢で、プリンタ幅方向に配列されている。これらの刃先２１ａ、２２ａの間
（記録紙切断位置）を通って記録紙１０ａが排出された状態において、下側の可動刃２２
を上方に旋回させることにより、両刃先２１ａ、２２ａによって挟まれた記録紙１０ａの
部位がプリンタ幅方向に切断される。
【００２１】
図４は本体ケース６および開閉蓋ケース７を取り外した状態でのロール紙プリンタの機
構部（プリンタ本体２および開閉蓋ユニット３）を示す側面図である。図５（ａ）および
（ｂ）は、さらに、内部構造を示すために想像線で示すように一方の側板を省略した状態
の斜視図および側面図である。図６（ａ）および（ｂ）は、図５と同様な状態において開
閉蓋ユニットを開けた場合を示す斜視図および側面図である。
【００２２】
これらの図を参照して説明すると、プリンタ本体２は、ベース板３１と、このベース板
３０から垂直に起立している左右の側板３２、３３と、これら左右の側板３２、３３の後
側の部位の間にプリンタ幅方向に架け渡された背面板３０とを備えている。側板３２、３
３の上端の間には、ヘッド取付板３４がプリンタ幅方向に水平に架け渡されており、この
ヘッド取付板３４の下面に、ヘッド面１６ａが下向きのほぼ水平姿勢でサーマルヘッド１
６が取り付けられている（図３参照）。ヘッド取付板３４の後側の部位の下側には、ロー
ル紙収納部９の天板１３が配置されている。また、ロール紙収納部９の底板１２はベース
板３１の上面に配置されている。
【００２３】
ヘッド取付板３４の上側には固定刃取付板３５がプリンタ幅方向に水平に配置されてお
り、この固定刃取付板３５の前端部下側に記録紙切断装置２０の固定刃２１が前向きでほ
ぼ水平に取り付けられている。固定刃取付板３５は、側板３２、３３の外側に配置されて
いる左右の旋回板３６、３７（図においては旋回板３７のみを示す。）の上端の間に架け
渡されている。旋回板３６、３７は、それらの下端部３６ａ、３７ａ（図においては下端
部３７ａのみを示す。）を中心としてプリンタ前後方向に僅かに旋回可能である。記録紙
切断装置２０による記録紙１０ａの切断時には、可動刃２２が下側から上方に旋回して固
定刃２１を後方に押し込みながら双方の刃先２１ａ、２２ａが点接触状態で交差して、記
録紙１０ａが切断される。切断時において固定刃２１を僅かに後退させるために、旋回板
３６、３７によって固定刃２１が支持されている。
【００２４】
一方、開閉蓋ユニット３は、プリンタ本体２の側板３２、３３の下端部に取り付けられ
ている支軸４１、４２を中心としてプリンタ前方に所定角度だけ開くようになっている。
開閉蓋ユニット３は、前板部分４３と、この両側から後方に直角に折れ曲がっている細幅
の側板部分４４、４５とを備えている。前板部分４３の前面には、記録紙切断装置２０の
可動刃２２および可動刃駆動機構２３が取り付けられており、これらの部分が保護板２４
によって覆われている。保護板２４の前側は開閉蓋ケース７によって覆われている（図３
参照）。また、側板部分４４、４５にはプラテンローラ１５が回転自在の状態で架け渡さ
れている。プラテンローラ１５の下側には、前板部分４３の背面に取り付けたロール紙収
納部９の前板１４が配置されている。
【００２５】
上記のように、開閉蓋ユニット３には、ロール紙収納部９の前板１４と、プラテンロー
ラ１５と、記録紙切断装置２０の可動刃２２が搭載されている。開閉蓋ユニット３を開く
と、図２、図５に示すように、ロール紙収納部９が開放状態となると共に、ロール紙収納
部９から印刷位置および切断位置を経由して記録紙排出口５に到る記録紙搬送路が開放状
態になる。したがって、ロール紙収納部９に収納されたロール紙１０から記録紙１０ａを
引き出した状態で開閉蓋ユニット３を閉じると、かかる記録紙搬送路に沿って記録紙１０
ａがセットされた状態を自動的に形成できる。
【００２６】
（ロール紙収納部のロール紙送り出し機構）
本例のロール紙収納部９は、上記のように、底板１２、天板１３および前板１４によっ
て規定されている。前板１４は開閉蓋ユニット３に取り付けられており、開閉蓋ユニット
３を開くと、ロール紙収納部９の前側部分が開放状態になり、そこを介してロール紙１０
の交換作業を行うことができる。また、ロール紙収納部９では、開閉蓋ユニット３の開き
動作に連動して、その底板１２が前傾姿勢に切り換わる。底板１２が前傾姿勢になると、
底板１２に載っているロール紙１０が自重によって転動して前方に送り出される。
【００２７】
図３、図５および図６を主として参照して説明すると、底板１２は、その前端側の部位
が支軸６１を中心としてプリンタ前後方向に回転自在の状態で、ベース板３１に載ってい
る。底板１２の両側には側板部分６２、６３が一体形成されており、これらの側板部分５
６２、６３における後側の部位にはスライドピン６４、６５（図においてはスライドピン
６５のみを示す。）が側方に突出した状態で取り付けられている。
【００２８】
これらのスライドピン６４、６５と、背面板３０の下端側の部位との間には、それぞれ
、引張りコイルばね６６、６７（図においては引張りコイルばね６７のみを示す。）が引
張り状態で架け渡されている。開閉蓋ユニット３が閉状態のとき、これらの左右のコイル
ばね６６、６７によって、底板１２はその裏面がベース板３１に当接したほぼ水平な姿勢
１２Ａ（図５（ｂ）参照）に保持されている。
【００２９】
これらのスライドピン６４、６５と、開閉蓋ユニット３の左右の側板部分４４、４５の
上下方向の中程の部位に取り付けた支持ピン６８、６９との間には、それぞれ、同一形状
をした板状のリンクレバー７１、７２が架け渡されている。リンクレバー７１、７２の前
端部７１ａ、７２ａは、それぞれ、支持ピン６８、６９に対してプリンタ上下方向に回転
自在の状態で取り付けられている。リンクレバー７１、７２の後端部分にはプリンタ前後
方向に長い直線状のスライド穴７１ｂ、７２ｂが形成されており、これらに、スライドピ
ン６４、６５がスライド可能な状態で差し通されている。また、これらのスライドピン６
４、６５は、図４に示すように、左右の側板３２、３３に形成されている円弧状のガイド
穴７３、７４（図においてはガイド穴７４のみを示す。）に差し通されている。ガイド穴
７３、７４は、支軸６１を中心とする円弧であり、底板１２が支軸６１を中心として旋回
すると、スライドピン６４、６５は、これらのガイド穴７３、７４に沿って移動する。
【００３０】
このように構成したロール紙収納部９におけるロール紙送り出し動作を説明する。開閉
蓋ユニット３が閉じている場合には、図５に示すように、底板１２の左右のスライドピン
６４、６５は左右のリンクレバー７１、７２のスライド穴７１ｂ、７２ｂの前端に位置し
ている。また、スライドピン６４、６５は、図４に示すように、円弧状のガイド穴７３、
７４における下側の端に位置している。
【００３１】
開閉蓋ユニット３を開けると、開閉蓋ユニット３の左右の側板部分４４、４５に前端部
が連結されている左右のリンクレバー７１、７２も前方に移動する。ロール紙収納部９の
底板１２に取り付けた左右のスライドピン６４、６５は、リンクレバー７１、７２のスラ
イド穴７１ｂ、７２ｂの前端に位置している。リンクレバー７１、７２が所定量だけ前方
に移動して、それらのスライド穴７１ｂ、７２ｂの後端がスライドピン６４、６５に当た
るまでは、底板１２は移動しない。
【００３２】
スライドピン６４、６５がスライド穴７１ｂ、７２ｂの後端に当たった後は、開閉蓋ユ
ニット３の開き動作に連動して、左右のリンクレバー７１、７２によってスライドピン６
４、６５が前方に引かれる。これらのスライドピン６４、６５が取り付けられている底板
１２は、その前端の支軸６１を中心として旋回可能であるので、開閉蓋ユニット３の開き
動作に連動して、支軸６１を中心として、前方に旋回する。
【００３３】
図６に示すように、開閉蓋ユニット３が開き位置３Ｂに到る全開状態では、底板１２が
所定角度だけ傾斜した前傾姿勢１２Ｂとなる。このように、ロール紙収納部９の底板１２
は開閉蓋ユニット３の開き動作に連動して元のほぼ水平な姿勢１２Ａから前傾姿勢１２Ｂ
に切り換わる。底板１２にロール紙１０が載っていると、ロール紙１０は自重によって前
傾姿勢１２Ｂの底板１２を転動して、前方に送り出される。例えば、図６に想像線で示す
ように残り少なくなったロール紙１０Ａは矢印で示すように前方に送り出される。この結
果、前側から簡単にロール紙１０Ａを取り出すことができる。
【００３４】
また、開閉蓋ユニット３は、底板１２が旋回を開始した後は、左右のリンクレバー７１
、７２を介して、左右の引張りコイルばね６６、６７によって後方に引張られた状態にな
る。したがって、引張りコイルばね６６、６７の引張り力によって開閉蓋ユニット３が勢
い良く開いてしまうことが防止され、プリンタ設置面などに開閉蓋ユニット３が勢い良く
衝突して破損してしまうなどの弊害を回避できる。
【００３５】
次に、開閉蓋ユニット３を閉じると、これに連動して、左右のリンクレバー７１、７２
も後方に移動する。よって、底板１２の左右のスライドピン６４、６５に作用していた前
方への引張り力が解除され、コイルばね６６、６７のばね力によって、底板１２は元のほ
ぼ水平な姿勢１２Ａに戻る。この結果、底板１２に載っているロール紙１０は予め定めら
れた所定の位置に収納された状態になる。
【００３６】
このように、本例のロール紙プリンタ１では、開閉蓋ユニット３の開閉に連動して、ロ
ール紙収納部９の底板１２をほぼ水平な姿勢１２Ａおよび前傾姿勢１２Ｂに切り換えるよ
うにしている。したがって、ロール紙１０の交換時に、開閉蓋ユニット３を開くと、これ
に連動して、ロール紙収納部９の底板１２が前傾姿勢１２Ｂとなり、そこに載っている殆
ど芯管のみとなったロール紙１０Ａが前方に送り出される。よって、ロール紙収納部９の
奥に手を入れて、このような小径のロール紙１０Ａを取り出す必要がないので、簡単にロ
ール紙を取り出すことができる。
【００３７】
なお、本例では、リンクレバー７１、７２によってロール紙送り出し機構を形成してい
る。ロール紙送り出し機構としては、別の構成を採用することも可能である。例えば、開
閉蓋ユニット３の開閉に連動して、ロール紙収納部９の底板１２を前後にスライドさせる
ようにしたロール紙送り機構を採用することもできる。または、底板は固定状態としてお
き、別の部材を開閉蓋ユニット３に連動させて前後に移動させる機構でもよい。
【００３８】
また、本例のロール紙プリンタ１はプリンタ前面に開閉蓋ユニットが取り付けられ、こ
れを前方に倒してロール紙収納部が開放状態になる構成のものである。プリンタ上面に開
閉蓋ユニットを取り付け、ロール紙収納部の上側を開放してロール紙の交換を行う構成の
ロール紙プリンタにも本発明を適用できる。例えば、開閉蓋ユニットを開ける動作に連動
して、ロール紙収納部の底板を上昇させれば、そこに載っている小径のロール紙を簡単に
取り出すことができる。
【符号の説明】
【００３９】
１  ロール紙プリンタ、２  プリンタ本体、３  開閉蓋ユニット、３Ａ  閉じ位置、３
Ｂ開き位置、５  記録紙排出口、６  本体ケース、７  開閉蓋ケース、９  ロール紙収納
部、１０，１０Ａ  ロール紙、１２  底板、１２Ａ  ほぼ水平な姿勢、１２Ｂ  前傾姿勢
、１３  天板、１４  前板、１５  プラテンローラ、１６  サーマルヘッド、６１  支軸
、６２，６３  側板部分、６４，６５  スライドピン、６６，６７  引張りコイルばね、
６８，６９  支持ピン、７１，７２  リンクレバー、７１ｂ，７２ｂ  スライド穴、７３
，７４  ガイド穴。
【図１】
2011230514.tif 000003
【図２】
2011230514.tif 000004
【図３】
2011230514.tif 000005
【図４】
2011230514.tif 000006
【図５】
2011230514.tif 000007
【図６】
2011230514.tif 000008
【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
プリンタ本体と、
前記プリンタ本体に形成されているロール紙収納部と、
前記プリンタ本体に開閉可能に取り付けられ、前記ロール紙収納部を封鎖している開閉
蓋ユニットと、
前記開閉蓋ユニットの開き動作に連動して、当該開閉蓋ユニットに向けて前記ロール紙
収納部に収納されているロール紙を送り出すロール紙送り出し機構と、を備え、
前記ロール紙収納部は、プリンタ幅方向に延びる底板および前板を備え、前記前板は前
記開閉蓋ユニットに取り付けられており、
前記ロール紙送り出し機構は、前記ロール紙収納部におけるロール紙が転動可能な状態
で載っている前記底板を前記開閉蓋ユニットの開き動作に連動して傾斜させる機構であり
、
前記開閉蓋ユニットは、そのプリンタ下端側の部位を中心として前方に開くように、前
記プリンタ本体の前面に取り付けられており、
前記ロール紙収納部の前記底板は、そのプリンタ前端側の部位を中心としてプリンタ前
後方向に旋回可能であり、
前記ロール紙送り出し機構は、前記開閉蓋ユニットの開閉動作を前記底板の旋回運動に
変換するために前記開閉蓋ユニットに連結したリンクレバーを備えており、前記リンクレ
バーが所定量だけ前方に移動するまでは前記底板が前方に旋回しないようになっており、
前記開閉蓋ユニットが全開状態では、前記底板はプリンタ前方側の部位が下となる前傾
姿勢となり、前記開閉蓋ユニットを閉じると、前記底板は元の姿勢に戻ることを特徴とす
るロール紙プリンタ。
【請求項２】
請求項１において、
前記ロール紙送り出し機構は、前記リンクレバーに形成したスライド穴と、前記底板に
形成したスライドピンとを備え、前記スライドピンは前記スライド穴にスライド可能な状
態で差し通されており、前記リンクレバーが所定量だけ前方に移動して前記スライド穴の
後端に当るまでは前記底板が前方に旋回しないようになっていることを特徴とするロール
紙プリンタ。
【請求項３】
請求項１または２において、
前記底板を元の姿勢に戻す方向の付勢力を当該底板に付与している付勢部材を有してい
ることを特徴とするロール紙プリンタ。
【手続補正２】
【補正対象書類名】明細書
【補正対象項目名】０００７
【補正方法】変更
【補正の内容】
【０００７】
上記の課題を解決するために、本発明のロール紙プリンタは、
プリンタ本体と、
前記プリンタ本体に形成されているロール紙収納部と、
前記プリンタ本体に開閉可能に取り付けられ、前記ロール紙収納部を封鎖している開閉
蓋ユニットと、
前記開閉蓋ユニットの開き動作に連動して、当該開閉蓋ユニットに向けて前記ロール紙
収納部に収納されているロール紙を送り出すロール紙送り出し機構と、を備え、
前記ロール紙収納部は、プリンタ幅方向に延びる底板および前板を備え、前記前板は前
記開閉蓋ユニットに取り付けられており、
前記ロール紙送り出し機構は、前記ロール紙収納部におけるロール紙が転動可能な状態
で載っている前記底板を前記開閉蓋ユニットの開き動作に連動して傾斜させる機構であり
、
前記開閉蓋ユニットは、そのプリンタ下端側の部位を中心として前方に開くように、前
記プリンタ本体の前面に取り付けられており、
前記ロール紙収納部の前記底板は、そのプリンタ前端側の部位を中心としてプリンタ前
後方向に旋回可能であり、
前記ロール紙送り出し機構は、前記開閉蓋ユニットの開閉動作を前記底板の旋回運動に
変換するために前記開閉蓋ユニットに連結したリンクレバーを備えており、前記リンクレ
バーが所定量だけ前方に移動するまでは前記底板が前方に旋回しないようになっており、
前記開閉蓋ユニットが全開状態では、前記底板はプリンタ前方側の部位が下となる前傾
姿勢となり、前記開閉蓋ユニットを閉じると、前記底板は元の姿勢に戻ることを特徴とし
ている。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
本発明のロール紙プリンタでは、開閉蓋ユニットを開けると、ロール紙送り出し機構に
よって、ロール紙収納部からロール紙が送り出される。すなわち、ロール紙収納部におけ
るロール紙が載っている底板が傾斜し、ロール紙が開閉蓋ユニットの側に送り出される。
開けた開閉蓋ユニットの近くまでロール紙が送り出されるので、ロール紙収納部の奥まで
手を入れて殆ど芯管のみとなった小径のロール紙を取り出す必要がない。よって、ロール
紙の取り出しが極めて容易になる。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
更に説明すると、開閉蓋ユニットを開くと、ロール紙収納部の底板が前傾姿勢となり、
そこに載っているロール紙が自重によって前方に転動して送り出される。したがって、操
作者は、手をロール紙収納部の奥に入れることなく、簡単に、実質的に芯管のみとなった
小径のロール紙を取り出すことができる。
【手続補正７】
【補正対象書類名】明細書
【補正対象項目名】００１３
【補正方法】変更
【補正の内容】
【００１３】
以上説明したように、本発明のロール紙プリンタでは、ロール紙収納部を開閉する開閉
蓋ユニットを開ける動作に連動して、ロール紙収納部に収納されているロール紙を開閉蓋
ユニットの側に送り出すようにしている。すなわち、ロール紙収納部の底板を傾斜させて
、そこに載っているロール紙を送り出すようにしている。したがって、ロール紙収納部の
奥側の底に残っている小径のロール紙を簡単に取り出すことができる。
【手続補正８】
【補正対象書類名】明細書
【補正対象項目名】００３７
【補正方法】変更
【補正の内容】
【００３７】
なお、本例では、リンクレバー７１、７２によってロール紙送り出し機構を形成してい
る。ロール紙送り出し機構としては、別の構成を採用することも可能である。
【手続補正９】
【補正対象書類名】明細書
【補正対象項目名】００３８
【補正方法】削除
【補正の内容】